(57)【特許請求の範囲】
【請求項１】
端末装置との間で無線通信を行う第１の通信手段と、
端末装置との間で無線通信を行い、前記第１の通信手段とは異なる第２の通信手段と、
文書の印刷を指示する印刷指示の処理を停止する停止指示を、前記第２の通信手段を介して端末装置から受け付けて、当該印刷指示の処理を停止し、処理を停止した当該印刷指示を前記第１の通信手段を介して当該端末装置に送信する送信手段と、
印刷指示の処理を再開する再開指示を、前記第２の通信手段を介して端末装置から受け付けて、前記第１の通信手段を介して当該端末装置から当該印刷指示を受信する受信手段と
を備える画像処理装置。
【請求項２】
前記受信手段は、前記再開指示として、端末装置が印刷指示を保持していることを示す情報を当該端末装置から受け付けること
を特徴とする請求項１に記載の画像処理装置。
【請求項３】
端末装置との間で無線通信を行う通信手段と、
文書の印刷を指示する印刷指示を識別する識別情報、および、当該印刷指示を保持する装置を特定する特定情報を、前記通信手段を介して前記端末装置から受信し、当該特定情報により特定される装置が通信回線を介して自装置と接続される他の画像処理装置であれば、当該識別情報により識別される当該印刷指示を当該他の画像処理装置から受信する受信手段と
を備える画像処理装置。
【請求項４】
前記通信手段を介して前記端末装置から受信した情報に、前記識別情報および前記特定情報の少なくともいずれか一方が含まれない場合、自装置が保持する印刷指示の処理を停止し、処理を停止した当該印刷指示の当該識別情報、および自装置を特定する当該特定情報を、当該通信手段を介して当該端末装置に送信する情報送信手段を
さらに備えることを特徴とする請求項３に記載の画像処理装置。
【請求項５】
前記情報送信手段が送信した前記識別情報により識別される印刷指示を、他の画像処理装置から要求されると、要求された当該印刷指示を当該他の画像処理装置に送信する印刷指示送信手段
をさらに備えることを特徴とする請求項４に記載の画像処理装置。
【請求項６】
画像処理装置との間で無線通信を行う無線通信手段と、
前記無線通信手段を介して、文書の印刷を指示する印刷指示の処理を停止する停止指示を前記画像処理装置に対して行い、処理が停止された印刷指示の情報を当該画像処理装置から取得する取得手段と、
画像処理装置との間で前記無線通信手段による無線通信が行われる際、前記取得手段によりすでに印刷指示の情報が取得されていれば、当該無線通信手段を介して当該画像処理装置に対して、取得された印刷指示の情報に対する処理を再開する再開指示を行う指示手段と
を備える端末装置。
【請求項７】
画像処理装置との間で前記無線通信手段による無線通信が行われる際、前記取得手段によりすでに印刷指示の情報が取得されていれば、当該画像処理装置に対して前記停止指示を行うか、または前記再開指示を行うかを選択する操作者の操作を受け付ける受付手段をさらに備えること
を特徴とする請求項６に記載の端末装置。
【請求項８】
印刷の対象となる画像データを格納する格納手段をさらに備え、
前記取得手段が取得する前記印刷指示の情報は、前記画像データを含むこと
を特徴とする請求項６または７に記載の端末装置。
【請求項９】
コンピュータに、
画像処理装置との間で無線通信を行う通信機能と、
前記通信機能により、文書の印刷を指示する印刷指示の処理を停止する停止指示を前記画像処理装置に対して行い、処理が停止された印刷指示の情報を当該画像処理装置から取得する取得機能と、
画像処理装置との間で前記通信機能による無線通信を行う際、前記取得機能によりすでに印刷指示の情報を取得していれば、当該通信機能により当該画像処理装置に対して、取得している印刷指示の情報に対する処理を再開する再開指示を行う指示機能と
を実現させるためのプログラム。
【請求項１０】
文書の印刷を行う画像処理装置と、
文書の印刷を指示する印刷指示を記憶する端末装置とを備え、
前記画像処理装置は、
前記端末装置との間で無線通信を行う第１の通信手段と、
前記端末装置との間で無線通信を行い、前記第１の通信手段とは異なる第２の通信手段と、
文書の印刷を指示する印刷指示の処理を停止する停止指示を、前記第２の通信手段を介して端末装置から受け付けて、当該印刷指示の処理を停止し、処理を停止した当該印刷指示を前記第１の通信手段を介して当該端末装置に送信する送信手段と、
印刷指示の処理を再開する再開指示を、前記第２の通信手段を介して端末装置から受け付けて、前記第１の通信手段を介して当該端末装置から当該印刷指示を受信する受信手段と、
前記受信手段にて受信した前記印刷指示が指示する文書の印刷を行う印刷手段とを備えること
を特徴とする画像処理システム。
【発明の詳細な説明】
【技術分野】
【０００１】
本発明は、画像処理装置、端末装置、プログラムおよび画像処理システムに関する。
【背景技術】
【０００２】
公報記載の従来技術として、印刷ジョブを受信したときに、受信した印刷ジョブの印刷が自己ネットワークプリンタで開始されるまでの印刷待機時間Ｔｗを予測し、予測した印刷待機時間Ｔｗが所定以上であると判定したときは、他のネットワークプリンタの中から印刷ジョブを処理可能な代替ネットワークプリンタを検索し、受信した印刷ジョブを代替ネットワークプリンタに転送するネットワークプリンタが存在する。（特許文献１参照）
【０００３】
また、他の公報記載の従来技術として、通信装置から画像を受信し、受信した複数の画像を、処理すべき複数のジョブとして保持し、通信装置との通信が切断された場合に、複数の画像の受信が完了していなければ、保持されたジョブのうち、通信装置から受信した画像に対応するジョブをキャンセルするように制御する画像形成装置が存在する。（特許文献２参照）
【先行技術文献】
【特許文献】
【０００４】
【特許文献１】特開２００５−２７５９０５号公報
【特許文献２】特開２０１１−００４２３５号公報
【発明の概要】
【発明が解決しようとする課題】
【０００５】
ユーザが画像処理装置の使用中、例えばエラー等が発生し画像処理装置を使用できなくなり、印刷のための操作がユーザにより再度行われる場合がある。
本発明は、印刷の途中で処理を停止し再開する際のユーザの負担を軽減することを目的とする。
【課題を解決するための手段】
【０００６】
請求項１記載の発明は、端末装置との間で無線通信を行う第１の通信手段と、端末装置との間で無線通信を行い、前記第１の通信手段とは異なる第２の通信手段と、文書の印刷を指示する印刷指示の処理を停止する停止指示を、前記第２の通信手段を介して端末装置から受け付けて、当該印刷指示の処理を停止し、処理を停止した当該印刷指示を前記第１の通信手段を介して当該端末装置に送信する送信手段と、印刷指示の処理を再開する再開指示を、前記第２の通信手段を介して端末装置から受け付けて、前記第１の通信手段を介して当該端末装置から当該印刷指示を受信する受信手段とを備える画像処理装置である。
請求項２記載の発明は、前記受信手段は、前記再開指示として、端末装置が印刷指示を保持していることを示す情報を当該端末装置から受け付けることを特徴とする請求項１に記載の画像処理装置である。
請求項３記載の発明は、端末装置との間で無線通信を行う通信手段と、文書の印刷を指示する印刷指示を識別する識別情報、および、当該印刷指示を保持する装置を特定する特定情報を、前記通信手段を介して前記端末装置から受信し、当該特定情報により特定される装置が通信回線を介して自装置と接続される他の画像処理装置であれば、当該識別情報により識別される当該印刷指示を当該他の画像処理装置から受信する受信手段とを備える画像処理装置である。
請求項４記載の発明は、前記通信手段を介して前記端末装置から受信した情報に、前記識別情報および前記特定情報の少なくともいずれか一方が含まれない場合、自装置が保持する印刷指示の処理を停止し、処理を停止した当該印刷指示の当該識別情報、および自装置を特定する当該特定情報を、当該通信手段を介して当該端末装置に送信する情報送信手段をさらに備えることを特徴とする請求項３に記載の画像処理装置である。
請求項５記載の発明は、前記情報送信手段が送信した前記識別情報により識別される印刷指示を、他の画像処理装置から要求されると、要求された当該印刷指示を当該他の画像処理装置に送信する印刷指示送信手段をさらに備えることを特徴とする請求項４に記載の画像処理装置である。
請求項６記載の発明は、画像処理装置との間で無線通信を行う無線通信手段と、前記無線通信手段を介して、文書の印刷を指示する印刷指示の処理を停止する停止指示を前記画像処理装置に対して行い、処理が停止された印刷指示の情報を当該画像処理装置から取得する取得手段と、画像処理装置との間で前記無線通信手段による無線通信が行われる際、前記取得手段によりすでに印刷指示の情報が取得されていれば、当該無線通信手段を介して当該画像処理装置に対して、取得された印刷指示の情報に対する処理を再開する再開指示を行う指示手段とを備える端末装置である。
請求項７記載の発明は、画像処理装置との間で前記無線通信手段による無線通信が行われる際、前記取得手段によりすでに印刷指示の情報が取得されていれば、当該画像処理装置に対して前記停止指示を行うか、または前記再開指示を行うかを選択する操作者の操作を受け付ける受付手段をさらに備えることを特徴とする請求項６に記載の端末装置である。
請求項８記載の発明は、印刷の対象となる画像データを格納する格納手段をさらに備え、前記取得手段が取得する前記印刷指示の情報は、前記画像データを含むことを特徴とする請求項６または７に記載の端末装置である。
請求項９記載の発明は、コンピュータに、画像処理装置との間で無線通信を行う通信機能と、前記通信機能により、文書の印刷を指示する印刷指示の処理を停止する停止指示を前記画像処理装置に対して行い、処理が停止された印刷指示の情報を当該画像処理装置から取得する取得機能と、画像処理装置との間で前記通信機能による無線通信を行う際、前記取得機能によりすでに印刷指示の情報を取得していれば、当該通信機能により当該画像処理装置に対して、取得している印刷指示の情報に対する処理を再開する再開指示を行う指示機能とを実現させるためのプログラムである。
請求項１０記載の発明は、文書の印刷を行う画像処理装置と、文書の印刷を指示する印刷指示を記憶する端末装置とを備え、前記画像処理装置は、前記端末装置との間で無線通信を行う第１の通信手段と、前記端末装置との間で無線通信を行い、前記第１の通信手段とは異なる第２の通信手段と、文書の印刷を指示する印刷指示の処理を停止する停止指示を、前記第２の通信手段を介して端末装置から受け付けて、当該印刷指示の処理を停止し、処理を停止した当該印刷指示を前記第１の通信手段を介して当該端末装置に送信する送信手段と、印刷指示の処理を再開する再開指示を、前記第２の通信手段を介して端末装置から受け付けて、前記第１の通信手段を介して当該端末装置から当該印刷指示を受信する受信手段と、前記受信手段にて受信した前記印刷指示が指示する文書の印刷を行う印刷手段とを備えることを特徴とする画像処理システムである。
【発明の効果】
【０００７】
請求項１記載の発明によれば、印刷の途中で処理を停止し再開する際のユーザの負担が軽減される。
請求項２記載の発明によれば、端末装置が保持している印刷指示の処理を再開することが容易になる。
請求項３記載の発明によれば、印刷の途中で処理を停止し再開する際のユーザの負担が軽減される。
請求項４記載の発明によれば、印刷指示の処理を停止するとともに、印刷指示の情報を端末装置に送信することができる。
請求項５記載の発明によれば、他の画像処理装置にて印刷指示の処理を再開させることが容易になる。
請求項６記載の発明によれば、印刷の途中で処理を停止し再開する際のユーザの負担が軽減される。
請求項７記載の発明によれば、印刷指示の処理を停止するかまたは再開するかのどちらかを操作者が選択することができる。
請求項８記載の発明によれば、端末装置を介して画像データの送受信を行うことができる。
請求項９記載の発明によれば、印刷の途中で処理を停止し再開する際のユーザの負担を軽減する機能を、コンピュータにより実現できる。
請求項１０記載の発明によれば、印刷の途中で処理を停止し再開する際のユーザの負担を軽減する画像処理システムを提供できる。
【図面の簡単な説明】
【０００８】
【図１】画像処理システムの全体構成例を示した図である。
【図２】画像処理装置のハードウェア構成例を示した図である。
【図３】携帯端末のハードウェア構成例を示した図である。
【図４】画像処理装置の機能構成例を示したブロック図である。
【図５】携帯端末の機能構成例を示したブロック図である。
【図６】実施の形態１に係る画像処理システムの動作の一例を説明するためのフローチャートである。
【図７】実施の形態１に係る画像処理装置による処理手順の一例を示したフローチャートである。
【図８】実施の形態１に係る画像処理装置による処理手順の一例を示したフローチャートである。
【図９】実施の形態１に係る携帯端末による処理手順の一例を示したフローチャートである。
【図１０】実施の形態２に係る画像処理システムの動作の一例を説明するためのフローチャートである。
【図１１】ジョブ管理テーブルの一例を示す図である。
【図１２】ジョブリストの一例を示す図である。
【図１３】実施の形態２においてＮＦＣカードをかざした際に画像処理装置にて行われる処理手順の一例を示したフローチャートである。
【図１４】実施の形態２においてＮＦＣカードをかざした際に画像処理装置にて行われる処理手順の一例を示したフローチャートである。
【図１５】停止ジョブ選択処理の手順の一例を示したフローチャートである。
【図１６】受信ジョブ選択処理の手順の一例を示したフローチャートである。
【図１７】実施の形態２に係る画像処理装置による印刷ジョブの送信手順の一例を示したフローチャートである。
【発明を実施するための形態】
【０００９】
以下、添付図面を参照して、本発明の実施の形態について詳細に説明する。
［実施の形態１］
＜システム構成＞
まず、本実施の形態に係る画像処理システム１の全体構成について説明する。図１は、本実施の形態に係る画像処理システム１の全体構成例を示した図である。図示するように、画像処理システム１は、画像処理装置１０Ａ、画像処理装置１０Ｂと、携帯端末２０Ａ、携帯端末２０Ｂ、携帯端末２０Ｃと、操作端末３０Ａ、操作端末３０Ｂと、管理サーバ４０とを備えている。また、画像処理装置１０Ａ、画像処理装置１０Ｂと、携帯端末２０Ａ、携帯端末２０Ｂ、携帯端末２０Ｃとの間では、無線通信が行われる。さらに、画像処理装置１０Ａ、画像処理装置１０Ｂ、操作端末３０Ａ、操作端末３０Ｂ、管理サーバ４０は、ネットワーク５０に接続され、各装置間で相互に通信が行われる。
【００１０】
なお、図１には画像処理装置１０Ａ、画像処理装置１０Ｂを示したが、これらを区別する必要がない場合には画像処理装置１０と称する。同様に、図１には携帯端末２０Ａ、携帯端末２０Ｂ、携帯端末２０Ｃを示したが、これらを区別する必要がない場合には携帯端末２０と称する。さらに、図１には操作端末３０Ａ、操作端末３０Ｂを示したが、これらを区別する必要がない場合には操作端末３０と称する。また、図１に示す例では２つの画像処理装置１０を示したが、３つ以上の画像処理装置１０を設けても良い。さらに、図１に示す例では３つの携帯端末２０を示したが、４つ以上の携帯端末２０を設けても良い。そして、図１に示す例では２つの操作端末３０を示したが、３つ以上の操作端末３０を設けても良い。
【００１１】
画像処理装置１０は、例えば、スキャン機能、プリント機能、コピー機能およびファクシミリ機能等を備えた装置であり、用紙等の記録媒体に画像を形成して出力する。ここで、画像処理装置１０は、携帯端末２０や操作端末３０から印刷ジョブを受信し、受信した印刷ジョブをもとに印刷処理を実行する。印刷ジョブとは、印刷対象となる画像データと、印刷処理における設定が記述された制御命令とを含み、画像処理装置１０で実行される印刷処理の単位となるデータである。
【００１２】
携帯端末２０は、画像処理装置１０における各種機能の実行を指示する際に用いられる携帯型のコンピュータ装置である。携帯端末２０としては、例えば、スマートフォン、タブレットＰＣ（Personal Computer）、ノートＰＣ等を用いると良い。
【００１３】
操作端末３０は、ユーザが文書ファイルの閲覧、編集等を行う際に用いられるコンピュータ装置である。操作端末３０としては、例えば、ノートＰＣ、デスクトップＰＣ等を用いると良い。但し、操作端末３０として、スマートフォン等の携帯型のコンピュータ装置を用いても良い。
【００１４】
管理サーバ４０は、画像処理システム１で処理される各種データを格納するコンピュータ装置である。
【００１５】
通信回線の一例としてのネットワーク５０は、画像処理装置１０、操作端末３０、管理サーバ４０の各装置間の情報通信に用いられる通信手段であり、例えば、有線ＬＡＮ（Local Area Network）である。
【００１６】
また、本実施の形態では、画像処理装置１０と携帯端末２０との間で、近距離無線通信（例えば、近接場型の無線通信：ＮＦＣ（Ｎｅａｒ Ｆｉｅｌｄ Ｃｏｍｍｕｎｉｃａｔｉｏｎ））、および近距離無線通信より高速な別の通信規格（例えば、Ｗｉ−Ｆｉ  Ｄｉｒｅｃｔ）を用いた無線通信が行われる。ＮＦＣとは、通信距離が約１０ｃｍに限定された無線通信の規格である。また、Ｗｉ−Ｆｉ  Ｄｉｒｅｃｔとは、Ｗｉ−Ｆｉ端末間で直接通信するための規格であり、Ｗｉ−Ｆｉ  Ｄｉｒｅｃｔでは、各Ｗｉ−Ｆｉ対応機器がアクセスポイントとして動作する機能を搭載する。アクセスポイントとは、機器間の通信を無線により中継する中継機器である。付言すると、Ｗｉ−Ｆｉ  Ｄｉｒｅｃｔでは、ネットワークに参加する複数台のＷｉ−Ｆｉ対応機器の中で、いずれか一台の通信装置が実際にアクセスポイントとして動作し、アクセスポイントとなる機器と他のＷｉ−Ｆｉ対応機器との間で直接通信が行われる。
【００１７】
また、Ｗｉ−Ｆｉ  Ｄｉｒｅｃｔでは、ある一つのネットワークに参加する各通信装置がＰ２Ｐ  Ｄｅｖｉｃｅとして定義され、そのネットワークがＰ２Ｐ  Ｇｒｏｕｐとして定義される。そして、Ｐ２Ｐ  Ｇｒｏｕｐにおいて、実際にアクセスポイントとして動作するＰ２Ｐ  ＤｅｖｉｃｅがＰ２Ｐ  Ｇｒｏｕｐ  Ｏｗｎｅｒとして定義され、Ｐ２Ｐ  Ｇｒｏｕｐ  Ｏｗｎｅｒ以外のＰ２Ｐ  ＤｅｖｉｃｅがＰ２Ｐ  Ｄｅｖｉｃｅ  Ｃｌｉｅｎｔとして定義される。各Ｐ２Ｐ  Ｄｅｖｉｃｅは、他のＰ２Ｐ  Ｄｅｖｉｃｅと信号のやり取りを行うことで、Ｗｉ−Ｆｉ  Ｄｉｒｅｃｔの接続先の候補となるＰ２Ｐ  Ｄｅｖｉｃｅを検出し、複数のＰ２Ｐ  ＤｅｖｉｃｅからＰ２Ｐ  Ｇｒｏｕｐ  Ｏｗｎｅｒが選出される。
【００１８】
本実施の形態では、画像処理装置１０がＰ２Ｐ  Ｇｒｏｕｐ  Ｏｗｎｅｒとして機能するものとして説明する。また、Ｗｉ−Ｆｉ  Ｄｉｒｅｃｔでは、Ｐ２Ｐ  Ｇｒｏｕｐ  Ｏｗｎｅｒに同時に接続しているＰ２Ｐ  Ｄｅｖｉｃｅ  Ｃｌｉｅｎｔの数に上限が設けられるのが一般的である。本実施の形態では、Ｗｉ−Ｆｉ  Ｄｉｒｅｃｔにより画像処理装置１０に同時に接続している携帯端末２０の数（以下、同時接続数と称する）の上限が、３台であるものとする。
【００１９】
＜画像処理装置１０のハードウェア構成＞
次に、画像処理装置１０のハードウェア構成について説明する。図２は、画像処理装置１０のハードウェア構成例を示した図である。図示するように、画像処理装置１０は、ＣＰＵ（Central Processing Unit）１０１と、ＲＡＭ（Random Access Memory）１０２と、ＲＯＭ（Read Only Memory）１０３と、ＨＤＤ（Hard Disk Drive）１０４と、操作パネル１０５と、画像形成部１０６と、画像読取部１０７と、画像処理部１０８と、有線インタフェース（以下、有線Ｉ／Ｆと称する）１０９と、無線インタフェース（以下、無線Ｉ／Ｆと称する）１１０と、ＮＦＣインタフェース（以下、ＮＦＣＩ／Ｆと称する）１１１とを備える。なお、これらの各機能部はバス１１２に接続されており、このバス１１２を介してデータの授受を行う。
【００２０】
ＣＰＵ１０１は、ＯＳ（Operating System）やアプリケーション等の各種ソフトウェアを実行する。ＲＡＭ１０２は、ＣＰＵ１０１の作業用メモリ等として用いられるメモリである。ＲＯＭ１０３は、ＣＰＵ１０１が実行する各種プログラム等を記憶するメモリである。そして、ＣＰＵ１０１は、ＲＯＭ１０３等に記憶された各種プログラムをＲＡＭ１０２にロードして実行することにより、画像処理装置１０の各機能を実現する。
ＨＤＤ１０４は、画像形成部１０６における画像形成動作で用いる画像データ等を記憶する、例えば磁気ディスク装置である。
ここで、ＣＰＵ１０１が実行するプログラムは、予めＲＯＭ１０３に記憶させておく形態のほか、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、例えばネットワーク５０を介してＣＰＵ１０１に提供しても良い。
【００２１】
操作パネル１０５は、各種情報の表示やユーザからの操作入力の受付を行うタッチパネルである。ここで、操作パネル１０５は、各種情報が表示されるディスプレイと、指やスタイラスペン等で接触された位置を検出する位置検出シートとからなる。接触された位置を検出する手段としては、接触による圧力をもとに検出する手段や、接触した物の静電気をもとに検出する手段等、どのようなものが用いられても良い。また、タッチパネルに代えて、ディスプレイ、およびキーボード等の入力手段を用いても良い。
【００２２】
画像形成部１０６は、記録媒体に画像を形成するものである。ここで、画像形成部１０６は、例えばプリンタであり、感光体に付着させたトナーを記録媒体に転写して像を形成する電子写真方式や、インクを記録媒体上に吐出して像を形成するインクジェット方式などが用いられる。
【００２３】
画像読取部１０７は、記録媒体に記録された画像を読み取り、読み取った画像を表す画像データを生成する。ここで、画像読取部１０７は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式などが用いられる。
【００２４】
画像処理部１０８では、入力される画像データに色補正や階調補正等の各種画像処理を施している。例えば、画像読取部１０７で読み込まれた画像データやＨＤＤ１０４に記憶されている画像データに各種画像処理を施し、画像形成部１０６に出力している。
【００２５】
有線Ｉ／Ｆ１０９は、ネットワーク５０を介して、操作端末３０や管理サーバ４０との間で各種データの送受信を行う通信インタフェースとして機能する。
無線Ｉ／Ｆ１１０は、携帯端末２０との間で例えばＷｉ−Ｆｉ  Ｄｉｒｅｃｔによる無線通信を行うためのアンテナを含み、携帯端末２０との間で各種データの送受信を行う通信インタフェースとして機能する。
ＮＦＣＩ／Ｆ１１１は、携帯端末２０との間でＮＦＣ通信を行うためのアンテナを含み、携帯端末２０との間で各種データの送受信を行う通信インタフェースとして機能する。
【００２６】
＜携帯端末２０のハードウェア構成＞
図３は、携帯端末２０のハードウェア構成例を示した図である。図示するように、携帯端末２０は、ＣＰＵ２０１と、記憶手段であるメモリ２０２とを備える。ここで、ＣＰＵ２０１は、ＯＳやアプリケーション等の各種ソフトウェアを実行する。また、メモリ２０２は、各種ソフトウェアやその実行に用いるデータ等を記憶する記憶領域を有する。
ここで、ＣＰＵ２０１が実行するプログラムは、予めメモリ２０２に記憶させておく形態のほか、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、例えばインターネットを介してＣＰＵ２０１に提供する形態もある。
【００２７】
更に、携帯端末２０は、外部との無線通信を行うための無線Ｉ／Ｆ２０３およびＮＦＣＩ／Ｆ２０４と、画像を表示する画像表示手段２０５とを備える。
無線Ｉ／Ｆ２０３は、画像処理装置１０との間で例えばＷｉ−Ｆｉ  Ｄｉｒｅｃｔによる無線通信を行うためのアンテナを含み、画像処理装置１０との間で各種データの送受信を行う通信インタフェースとして機能する。
ＮＦＣＩ／Ｆ２０４は、画像処理装置１０との間でＮＦＣ通信を行うためのアンテナを含み、画像処理装置１０との間で各種データの送受信を行う通信インタフェースとして機能する。
【００２８】
画像表示手段２０５は、例えば、タッチパネルである。そのため画像表示手段２０５は、液晶パネルを備えるとともに、液晶パネルに人の指、スタイラスペンに代表される接触物が接触したときに、接触物が液晶パネルに接触した位置を検知する位置検知部（図示せず）を備えている。本実施の形態において使用するタッチパネルは、特に限定されるものではなく、抵抗膜方式や静電容量方式など種々の方式のものが採用される。
【００２９】
なお携帯端末２０は、記憶手段として例えばＨＤＤやフラッシュメモリなどを備えていてもよい。ＨＤＤやフラッシュメモリは、各種ソフトウェアに対する入力データや各種ソフトウェアからの出力データ等を記憶する。また携帯端末２０は、さらにキーボードやマウス等の入力デバイスを備えていてもよい。
【００３０】
上述した画像処理システム１では、携帯端末２０、操作端末３０は、ネットワーク５０やＷｉ−Ｆｉ  Ｄｉｒｅｃｔを用いた無線通信により、印刷ジョブを画像処理装置１０に送信し、画像処理装置１０において印刷を行うことができる。
また管理サーバ４０は、画像処理装置１０で印刷する印刷ジョブを管理し、印刷ジョブを適切な順序で並び替え、画像処理装置１０に対して送信することもできる。この場合、管理サーバ４０は、プリントサーバとして機能する。また管理サーバ４０は、ファイルを管理することで、携帯端末２０や操作端末３０でファイルを共有することができる。この場合、管理サーバ４０は、ファイルサーバとして機能する。
【００３１】
なお、図１に示す操作端末３０のハードウェア構成は、画像形成部１０６、画像読取部１０７、画像処理部１０８、無線Ｉ／Ｆ１１０、ＮＦＣＩ／Ｆ１１１が設けられていない点を除いて、上述した画像処理装置１０と共通である。
【００３２】
＜画像処理装置１０の機能構成＞
次に、画像処理装置１０の機能構成について説明する。画像処理装置１０は、操作端末３０から印刷ジョブを受信すると、順に印刷処理を実行する。ここで、ユーザが画像処理装置１０に携帯端末２０をかざすと、画像処理装置１０は、携帯端末２０とＮＦＣ通信を行い、印刷ジョブの処理を一旦停止する。そして、画像処理装置１０は、携帯端末２０との間でＷｉ−Ｆｉ  Ｄｉｒｅｔｃｔ接続を確立して、処理を停止した印刷ジョブを携帯端末２０に送信する。
【００３３】
また、ユーザが、画像処理装置１０から印刷ジョブを受信した携帯端末２０を、他の画像処理装置１０にかざすと、他の画像処理装置１０は、携帯端末２０とＮＦＣ通信を行い、携帯端末２０との間でＷｉ−Ｆｉ  Ｄｉｒｅｃｔ接続を確立する。そして、他の画像処理装置１０は、携帯端末２０から印刷ジョブを受信し、一旦停止されていた印刷ジョブの処理を再開し、印刷を実行する。以下では、画像処理装置１０が処理を停止した印刷ジョブを、停止ジョブと称することとする。また、本実施の形態では、印刷指示、印刷指示の情報の一例として、印刷ジョブを用いている。
【００３４】
図４は、画像処理装置１０の機能構成例を示したブロック図である。画像処理装置１０は、表示部１１と、操作受付部１２と、パネル制御部１３と、プリンタ制御部１４と、有線制御部１５と、無線制御部１６と、ＮＦＣ制御部１７と、ジョブ管理部１８と、ジョブ格納部１９とを備える。
【００３５】
表示部１１は、パネル制御部１３による制御のもと、例えば操作パネル１０５に、ユーザへのメッセージ等の各種画像を表示する。
操作受付部１２は、例えばユーザが操作パネル１０５をタッチすることにより、ユーザの操作入力を受け付ける。
パネル制御部１３は、表示部１１および操作受付部１２の動作を制御する。
印刷手段の一例としてのプリンタ制御部１４は、画像形成部１０６等の動作を制御して、印刷ジョブに対する印刷処理を実行する。
【００３６】
有線制御部１５は、ネットワーク５０を介して、操作端末３０等の他装置とデータの授受を行う。例えば、有線制御部１５は、操作端末３０から印刷ジョブを受信する。
第１の通信手段の一例としての無線制御部１６は、Ｗｉ−Ｆｉ  Ｄｉｒｅｃｔ接続を確立し、無線通信によりデータの送受信を行う。例えば、無線制御部１６は、携帯端末２０から印刷ジョブを受信したり、携帯端末２０へ印刷ジョブを送信したりする。
【００３７】
第２の通信手段、通信手段の一例としてのＮＦＣ制御部１７は、ＮＦＣ通信によりデータの送受信を行う。例えば、ＮＦＣ制御部１７は、携帯端末２０のＮＦＣＩ／Ｆ２０４がＮＦＣＩ／Ｆ１１１にかざされると、携帯端末２０との間で、Ｗｉ−Ｆｉ  Ｄｉｒｅｃｔ接続を確立するための接続条件に関する情報の送受信を行う。この接続条件に関する情報としては、例えば、携帯端末２０側から送られるものとして携帯端末２０のＭＡＣアドレス（Media Access Control address）やシリアル番号などがある。また画像処理装置１０側から送られるものとして画像処理装置１０のＭＡＣアドレスやＳＳＩＤ（Service Set Identifier）などがある。ＳＳＩＤとは、アクセスポイントを識別するための識別子である。また、例えば、ＮＦＣ制御部１７は、携帯端末２０が保持する停止ジョブの処理を再開することを指示する情報等を受信する。
【００３８】
送信手段、受信手段、情報送信手段、印刷指示送信手段の一例としてのジョブ管理部１８は、印刷ジョブに対する処理を制御する。ここで、ジョブ管理部１８は、携帯端末２０のＮＦＣＩ／Ｆ２０４がＮＦＣＩ／Ｆ１１１にかざされると、停止ジョブの処理を再開することを指示する情報を携帯端末２０から受信したか否かを判定する。停止ジョブの処理を再開することを指示する情報を受信した場合、ジョブ管理部１８は、携帯端末２０との間でＷｉ−Ｆｉ  Ｄｉｒｅｃｔ接続が確立された後、無線制御部１６を介して携帯端末２０から停止ジョブを受信する。
【００３９】
一方、停止ジョブの処理を再開することを指示する情報を受信していない場合、ジョブ管理部１８は、操作端末３０から受信されジョブ格納部１９に格納されている印刷ジョブのうち、かざされた携帯端末２０に関連付けられたユーザの情報に一致する情報が付与された印刷ジョブについて、処理を停止する。
ここで、印刷ジョブの処理を停止するにあたり、ジョブ管理部１８は、事前処理として、操作端末３０から受信した印刷ジョブについて、送信元となる操作端末３０のＩＰアドレス等をもとに印刷を実行したユーザを識別し、ユーザを識別する情報（以下、ユーザＩＤと称する）を付与しておく。本実施の形態では、操作端末３０はユーザごとに設けられ、ユーザＩＤは、印刷ジョブの送信元となる操作端末３０ごとに決定される。
【００４０】
また、各ユーザはそれぞれ携帯端末２０を保持しており、各携帯端末２０には、予めユーザＩＤが一つずつ関連付けられている。そして、ジョブ管理部１８は、かざされた携帯端末２０から、携帯端末２０に関連付けられたユーザＩＤを受信し、受信したユーザＩＤに一致するユーザＩＤが付与された印刷ジョブがジョブ格納部１９に格納されているか否かを判定する。受信したユーザＩＤに一致するユーザＩＤが付与された印刷ジョブが格納されていれば、ジョブ管理部１８は、処理を停止する対象の印刷ジョブがあるとして、その旨を携帯端末２０に通知し、印刷ジョブの処理を停止する。
【００４１】
また、処理が停止される印刷ジョブは、画像処理装置１０にて印刷処理中の印刷ジョブ、及び印刷処理待ちの印刷ジョブである。印刷処理中の印刷ジョブとは、用紙等に画像を形成中の印刷ジョブ、用紙切れや用紙詰まりで印刷処理を一時停止している印刷ジョブを示す。また、印刷処理待ちの印刷ジョブとは、他に印刷処理中の印刷ジョブがあり、まだ印刷処理が開始されていない印刷ジョブを示す。
そして、ジョブ管理部１８は、印刷ジョブの処理を停止すると、携帯端末２０との間でＷｉ−Ｆｉ  Ｄｉｒｅｃｔ接続が確立された後、無線制御部１６を介して、処理を停止した印刷ジョブ（即ち、停止ジョブ）を携帯端末２０へ送信する。
【００４２】
ジョブ格納部１９は、操作端末３０から受信した印刷ジョブや、携帯端末２０から受信した印刷ジョブ（停止ジョブ）を格納する。操作端末３０から受信されジョブ格納部１９に格納されている各印刷ジョブには、ジョブ管理部１８により、印刷ジョブを識別する情報（以下、ジョブＩＤと称する）が付与される。
【００４３】
そして、画像処理装置１０において、ＣＰＵ１０１が行う指示により、例えば、パネル制御部１３、プリンタ制御部１４、有線制御部１５、無線制御部１６、ＮＦＣ制御部１７、ジョブ管理部１８の機能が実現される。また、表示部１１、操作受付部１２は、例えば、操作パネル１０５により実現される。さらに、有線制御部１５は、例えば、有線Ｉ／Ｆ１０９により実現される。無線制御部１６は、例えば、無線Ｉ／Ｆ１１０により実現される。ＮＦＣ制御部１７は、例えば、ＮＦＣＩ／Ｆ１１１により実現される。また、ジョブ格納部１９は、例えば、ＨＤＤ１０４により実現される。
【００４４】
＜携帯端末２０の機能構成＞
次に、携帯端末２０の機能構成について説明する。図５は、携帯端末２０の機能構成例を示したブロック図である。携帯端末２０は、表示部２１と、操作受付部２２と、表示制御部２３と、無線制御部２４と、ＮＦＣ制御部２５と、ジョブ制御部２６と、ジョブ記憶部２７とを備える。本実施の形態では、端末装置の一例として携帯端末２０が用いられる。
【００４５】
表示部２１は、表示制御部２３による制御のもと、例えば画像表示手段２０５に、ユーザへのメッセージ等の各種画像を表示する。
受付手段の一例としての操作受付部２２は、例えばユーザが画像表示手段２０５をタッチすることにより、ユーザの操作入力を受け付ける。
表示制御部２３は、表示部２１および操作受付部２２の動作を制御する。
【００４６】
無線通信手段の一例としての無線制御部２４は、Ｗｉ−Ｆｉ  Ｄｉｒｅｃｔ接続を確立し、無線通信によりデータの送受信を行う。例えば、無線制御部２４は、画像処理装置１０から印刷ジョブを受信したり、画像処理装置１０へ印刷ジョブを送信したりする。
無線通信手段の一例としてのＮＦＣ制御部２５は、ＮＦＣ通信によりデータの送受信を行う。例えば、ＮＦＣ制御部２５は、ＮＦＣＩ／Ｆ２０４が画像処理装置１０のＮＦＣＩ／Ｆ１１１にかざされると、画像処理装置１０との間で、Ｗｉ−Ｆｉ  Ｄｉｒｅｃｔ接続を確立するための接続条件に関する情報の送受信を行う。また、例えば、ＮＦＣ制御部２５は、携帯端末２０が保持する停止ジョブの処理を再開することを指示する情報等を送信する。
【００４７】
取得手段、指示手段の一例としてのジョブ制御部２６は、停止ジョブに対する処理を制御する。ここで、ジョブ制御部２６は、ＮＦＣＩ／Ｆ２０４が画像処理装置１０のＮＦＣＩ／Ｆ１１１にかざされると、まず、ジョブ記憶部２７に停止ジョブが記憶されているか否かを判定する。ジョブ記憶部２７に停止ジョブが記憶されていない場合、ジョブ制御部２６は、携帯端末２０に関連付けられたユーザＩＤを画像処理装置１０に送信し、印刷ジョブの処理を停止することを指示する。そして、処理を停止する対象の印刷ジョブがあることが画像処理装置１０から通知されると、ジョブ制御部２６は、画像処理装置１０との間でＷｉ−Ｆｉ  Ｄｉｒｅｃｔ接続が確立された後、無線制御部２４を介して画像処理装置１０から停止ジョブを受信する。そして、ジョブ制御部２６は、受信した停止ジョブをジョブ記憶部２７に記憶させる。
【００４８】
一方、ジョブ記憶部２７に停止ジョブが記憶されていれば、ジョブ制御部２６は、携帯端末２０に関連付けられたユーザＩＤに加え、停止ジョブの処理を再開することを指示する情報を画像処理装置１０に送信する。そして、画像処理装置１０との間でＷｉ−Ｆｉ  Ｄｉｒｅｃｔ接続が確立された後、ジョブ制御部２６は、無線制御部２４を介して画像処理装置１０に停止ジョブを送信する。
【００４９】
格納手段の一例としてのジョブ記憶部２７は、画像処理装置１０から受信した印刷ジョブ（停止ジョブ）を記憶する。
【００５０】
そして、携帯端末２０において、ＣＰＵ２０１が行う指示により、例えば、表示制御部２３、無線制御部２４、ＮＦＣ制御部２５、ジョブ制御部２６の機能が実現される。また、表示部２１、操作受付部２２は、例えば、画像表示手段２０５により実現される。さらに、無線制御部２４は、例えば、無線Ｉ／Ｆ２０３により実現される。ＮＦＣ制御部２５は、例えば、ＮＦＣＩ／Ｆ２０４により実現される。また、ジョブ記憶部２７は、例えば、メモリ２０２やＨＤＤ等により実現される。
【００５１】
＜Ｗｉ−Ｆｉ  Ｄｉｒｅｃｔ接続手順＞
次に、画像処理装置１０と携帯端末２０との間でＷｉ−Ｆｉ  Ｄｉｒｅｃｔ接続が行われる手順について説明する。まず、画像処理装置１０に携帯端末２０がかざされると、画像処理装置１０と携帯端末２０との間でＮＦＣ通信が自動的に開始され、上述したように、ＭＡＣアドレスやＳＳＩＤ等のＷｉ−Ｆｉ  Ｄｉｒｅｃｔ接続を確立するための接続条件に関する情報の送受信が行われる。このとき画像処理装置１０側のＮＦＣ制御部１７は、カードエミュレーションモードで動作し、リーダ／ライタモードで動作する携帯端末２０側のＮＦＣ制御部２５からのデータ取得要求を受けたら逐次その応答を返す。このとき接続条件に関する情報は、ＮＦＣ通信で一般的に用いられるデータフォーマットであるＮＤＥＦ（NFC Data Exchange Format）により送受信がなされる。また、画像処理装置１０は、Ｐ２Ｐ  Ｇｒｏｕｐ  Ｏｗｎｅｒに選出される。
【００５２】
そして、携帯端末２０は、取得したＳＳＩＤと、ＮＦＣ通信により送信相手の候補として検出したＰ２Ｐ  ＤｅｖｉｃｅのＳＳＩＤとを比較し、一致したＳＳＩＤのＰ２Ｐ  Ｄｅｖｉｃｅ、即ち、画像処理装置１０に対してＷｉ−Ｆｉ  Ｄｉｒｅｃｔの接続を試みる。そして、画像処理装置１０及び携帯端末２０においてＷｉ−Ｆｉ  Ｄｉｒｅｃｔ接続を確立するための処理が行われ、ユーザが入力操作を行うことなく装置間の接続が確立される。また、携帯端末２０は、ＮＦＣ制御部２５から無線制御部２４へ無線通信の切り替えを行う。ただし、Ｗｉ−Ｆｉ  Ｄｉｒｅｃｔ接続を行う上でユーザの入力が伴う認証操作等があれば、ユーザは、画像処理装置１０及び携帯端末２０にて入力を行う。
【００５３】
＜画像処理システム１の動作＞
次に、画像処理システム１の動作について説明する。図６は、実施の形態１に係る画像処理システム１の動作の一例を説明するためのフローチャートである。図６に示す例では、ユーザＡが、画像処理装置１０Ａに携帯端末２０をかざすことにより、画像処理装置１０Ａにおける印刷ジョブの処理を停止した後、画像処理装置１０Ｂに携帯端末２０をかざし、停止した印刷ジョブの処理を再開するものとして説明する。
【００５４】
まず、ユーザＡが操作端末３０を用いて印刷を実行する操作を行うと、操作端末３０は、印刷を実行する操作を受け付ける（ステップ１０１）。ここで、ユーザＡは、印刷したい文書や画像を選択し、また、出力先の画像処理装置１０として画像処理装置１０Ａを選択する操作を行う。そして、操作端末３０は、ユーザＡによる操作をもとに印刷ジョブを生成し、生成した印刷ジョブを画像処理装置１０Ａに送信する（ステップ１０２）。印刷ジョブの送信が完了すると（ステップ１０３）、操作端末３０による処理は終了する。
【００５５】
画像処理装置１０Ａは、操作端末３０から印刷ジョブを受信すると（ステップ１１１）、印刷ジョブに対する印刷処理を開始する（ステップ１１２）。ただし、画像処理装置１０Ａは、他の印刷ジョブに対する印刷処理の実行中であれば、ステップ１１１で受信した印刷ジョブを印刷処理待ちの印刷ジョブとして格納する。また、画像処理装置１０Ａは、ステップ１１１で複数の印刷ジョブを受信すると、先に受信した印刷ジョブから印刷処理を実行し、受信したその他の印刷ジョブについては印刷処理待ちとしておき順番に印刷を行う。
【００５６】
ここで、ユーザＡが携帯端末２０を画像処理装置１０Ａにかざすと、携帯端末２０は、携帯端末２０に関連付けられたユーザＡのユーザＩＤを画像処理装置１０に送信し、処理の停止を指示する（ステップ１２１）。そして、画像処理装置１０Ａは、印刷処理中または印刷処理待ちの印刷ジョブのうち、送信されたユーザＩＤと同じユーザＩＤが付与された印刷ジョブが存在するか否かを判定する。図６に示す例では、ステップ１１１で受信した印刷ジョブに付与されたユーザＩＤと、携帯端末２０に関連付けられたユーザＩＤとは、ともにユーザＡのユーザＩＤであり一致する。そのため、画像処理装置１０Ａは、ステップ１１１で受信した印刷ジョブの処理を停止する（ステップ１１３）。
【００５７】
次に、画像処理装置１０Ａは、携帯端末２０とのＷｉ−Ｆｉ  Ｄｉｒｅｃｔ接続が確立された後、処理を停止した印刷ジョブを停止ジョブとして携帯端末２０に送信する（ステップ１１４）。停止ジョブの送信が完了すると（ステップ１１５）、画像処理装置１０Ａによる処理は終了する。また、携帯端末２０が停止ジョブの受信を開始し（ステップ１２２）、受信を完了した後（ステップ１２３）、ユーザＡが携帯端末２０を画像処理装置１０Ｂにかざすと、携帯端末２０は、停止ジョブの処理を再開することを指示する情報を画像処理装置１０Ｂに送信して印刷の再開を指示する（ステップ１２４）。ここで、携帯端末２０は、停止ジョブの処理を再開することを指示する情報として、例えば、停止ジョブのジョブＩＤを送信する。停止ジョブのジョブＩＤは、携帯端末２０が停止ジョブを保持していることを示す情報といえる。そして、画像処理装置１０Ｂは、携帯端末２０から印刷再開の指示を受信する（ステップ１３１）。
【００５８】
次に、携帯端末２０は、画像処理装置１０ＢとのＷｉ−Ｆｉ  Ｄｉｒｅｃｔ接続が確立された後、停止ジョブを画像処理装置１０Ｂに送信する（ステップ１２５）。停止ジョブの送信が完了すると（ステップ１２６）、携帯端末２０による処理は終了する。一方、画像処理装置１０Ｂは、携帯端末２０から停止ジョブを受信すると（ステップ１３２）、停止ジョブに対する印刷処理を開始する（ステップ１３３）。ここで、画像処理装置１０Ａにより停止ジョブの一部のページが印刷済みであったとしても、画像処理装置１０Ｂは、停止ジョブの最初のページから印刷を行う。停止ジョブに対する印刷処理が完了すると（ステップ１３４）、画像処理装置１０Ｂによる処理は終了する。
【００５９】
ただし、ステップ１３３では、画像処理装置１０Ｂが最初のページから印刷する構成に限られるものではない。例えば、画像処理装置１０Ａが、停止ジョブの各ページについて、印刷済み、印刷未完了の情報を付加した上で停止ジョブを送信し、画像処理装置１０Ｂは、停止ジョブに付加された情報をもとにして、印刷未完了のページのみ印刷することとしても良い。また、最初のページから印刷するか、または印刷未完了のページのみ印刷するかのどちらを選択するかをユーザＩＤごとに決めておき、予め各画像処理装置１０に設定しておいても良い。印刷未完了のページのみ印刷する構成にすれば、ページごとに画像処理装置１０を変えて印刷が行われる。そのため、例えば、ユーザは、カラーで印刷したいページだけ一旦停止してカラー機能を有する画像処理装置１０にて印刷を行い、印刷が終わったら、それ以降のページをカラー機能を有さない画像処理装置１０にて印刷しても良い。
【００６０】
また、携帯端末２０のかざし方により、最初のページから印刷するか、または印刷未完了のページのみ印刷するかのどちらを選択するかが決定されることとしても良い。例えば、一定時間内に携帯端末２０をタッチした回数や、タッチし続けた時間により、どちらを選択するかが決定される。
さらに、画像処理装置１０Ｂは、最初のページから印刷したり、印刷未完了のページのみ印刷したりする他に、例えばユーザが選択したページのみ印刷したり、ユーザが選択したページ以降のページを印刷したりすることとしても良い。
ただし、画像処理装置１０Ａが、印刷が完了したページのデータを順次削除するような場合には、印刷未完了のページの情報のみ携帯端末２０に送信されるため、画像処理装置１０Ｂは、印刷未完了のページについて印刷することとなる。
【００６１】
また、画像処理装置１０Ｂは、携帯端末２０から停止ジョブを受信すると、画像処理装置１０Ｂが保持する他の印刷ジョブよりも優先的に停止ジョブの印刷処理を行うなど、停止ジョブに対する処理を優先して行うこととしても良い。
さらに、図６に示す例では、停止ジョブを送信する装置を画像処理装置１０Ａとし、停止ジョブを受信する装置を画像処理装置１０Ａとは別の画像処理装置１０Ｂとしたが、画像処理装置１０Ａと画像処理装置１０Ｂとは同じ装置であっても良い。
【００６２】
＜画像処理装置１０の処理手順＞
次に、画像処理装置１０の処理手順について説明する。図７及び図８は、実施の形態１に係る画像処理装置１０による処理手順の一例を示したフローチャートである。図７及び図８に示す例では、画像処理装置１０は、停止ジョブの処理を再開することを指示する情報として、停止ジョブのジョブＩＤを携帯端末２０から受信するものとして説明する。
【００６３】
まず、ＮＦＣ制御部１７は、携帯端末２０がＮＦＣＩ／Ｆ１１１にかざされたか否かを判定する（ステップ２０１）。携帯端末２０がかざされていなければ（ステップ２０１でＮｏ）、本処理フローは終了する。一方、携帯端末２０がかざされた場合（ステップ２０１でＹｅｓ）、ＮＦＣ制御部１７はＮＦＣ通信を行い、携帯端末２０が保持している情報を受信する。ここで、携帯端末２０が停止ジョブを保持している場合には、画像処理装置１０は、携帯端末２０に関連付けられたユーザＩＤ、及び停止ジョブのジョブＩＤを受信する。一方、携帯端末２０が停止ジョブを保持しない場合、画像処理装置１０は、ユーザＩＤを受信する一方で、ジョブＩＤを受信しない。
【００６４】
そして、ジョブ管理部１８は、携帯端末２０から受信した情報にジョブＩＤがあるか否かを判定する（ステップ２０２）。ジョブＩＤがある場合（ステップ２０２でＹｅｓ）、画像処理装置１０にて停止ジョブの印刷処理が行われることとなり、後述するステップ２１６に移行する。一方、ジョブＩＤがない場合（ステップ２０２でＮｏ）、ジョブ管理部１８は、ジョブ格納部１９に処理を停止する対象の印刷ジョブが格納されているか否かを判定する（ステップ２０３）。ここでは、ジョブ管理部１８は、印刷処理中または印刷処理待ちの印刷ジョブのうち、携帯端末２０から受信したユーザＩＤと同じユーザＩＤが付与された印刷ジョブが存在すれば、停止対象の印刷ジョブがあると判定する。
【００６５】
停止対象の印刷ジョブがない場合（ステップ２０３でＮｏ）、ジョブ管理部１８は、停止対象の印刷ジョブがないことを携帯端末２０に通知し、本処理フローは終了する。一方、停止対象の印刷ジョブがある場合（ステップ２０３でＹｅｓ）、ジョブ管理部１８は、停止対象の印刷ジョブがあることを携帯端末２０に通知する（ステップ２０４）。次に、ジョブ管理部１８は、停止対象の印刷ジョブが印刷処理中であるか否かを判定する（ステップ２０５）。印刷処理中である場合（ステップ２０５でＹｅｓ）、プリンタ制御部１４により印刷処理が停止される（ステップ２０６）。印刷処理中ではない場合（ステップ２０５でＮｏ）、またはステップ２０６の後、ジョブ管理部１８は、印刷ジョブの処理を停止したことを示す処理停止フラグを停止対象の印刷ジョブに付与する（ステップ２０７）。処理停止フラグが付与された印刷ジョブは、停止ジョブとして扱われる。
【００６６】
次に、ジョブ管理部１８は、停止ジョブについて、操作端末３０から受信完了しているか否かを判定する（ステップ２０８）。受信完了していない場合（ステップ２０８でＮｏ）、ジョブ管理部１８は、受信完了するまで待機する（ステップ２０９）。受信完了している場合（ステップ２０８でＹｅｓ）、またはステップ２０９の後、ジョブ管理部１８は、停止ジョブを携帯端末２０に送信可能であるか否かを判定する（ステップ２１０）。ここでは、無線制御部１６により、携帯端末２０との間でＷｉ−Ｆｉ  Ｄｉｒｅｃｔ接続が確立されていれば、停止ジョブを送信可能であると判定される。
【００６７】
停止ジョブを送信可能である場合（ステップ２１０でＹｅｓ）、ジョブ管理部１８は、無線制御部１６を介して停止ジョブを携帯端末２０に送信する（ステップ２１１）。そして、ジョブ管理部１８は、送信した停止ジョブをジョブ格納部１９から削除する（ステップ２１２）。一方、停止ジョブを送信可能ではない場合（ステップ２１０でＮｏ）、ジョブ管理部１８は、停止ジョブの処理の停止をキャンセルするか否かを判定する（ステップ２１３）。ここでは、例えば、画像処理装置１０の操作パネル１０５や携帯端末２０の画像表示手段２０５において、処理の停止をキャンセルするか否かを選択するように促すメッセージが表示され、ユーザによる選択操作が行われる。そして、ユーザによる選択操作をもとに、処理の停止をキャンセルするか否か判定される。
【００６８】
処理の停止をキャンセルしないと判定された場合（ステップ２１３でＮｏ）、無線制御部１６は、停止ジョブを送信する準備を行う（ステップ２１４）。即ち、画像処理装置１０と携帯端末２０との間でＷｉ−Ｆｉ  Ｄｉｒｅｃｔ接続を確立する処理が行われる。そして、ステップ２１０へ移行する。一方、処理の停止をキャンセルすると判定された場合（ステップ２１３でＹｅｓ）、ジョブ管理部１８は、停止ジョブを削除するか否かを判定する（ステップ２１５）。ここでは、例えば、ステップ２１３と同様に、ユーザによる選択操作をもとに停止ジョブを削除するか否か判定される。停止ジョブを削除すると判定された場合（ステップ２１５でＹｅｓ）、ステップ２１２に移行する。一方、停止ジョブを削除しないと判定された場合（ステップ２１５でＮｏ）、本処理フローは終了する。
【００６９】
また、ステップ２０２において、受信した情報にジョブＩＤがある場合（ステップ２０２でＹｅｓ）、無線制御部１６は、印刷ジョブを受信する準備を行う（ステップ２１６）。即ち、画像処理装置１０と携帯端末２０との間でＷｉ−Ｆｉ  Ｄｉｒｅｃｔ接続を確立する処理が行われる。Ｗｉ−Ｆｉ  Ｄｉｒｅｃｔ接続が確立すると、ジョブ管理部１８は、無線制御部１６を介して携帯端末２０から停止ジョブを受信し（ステップ２１７）、ジョブ格納部１９に格納する。そして、プリンタ制御部１４は、受信した停止ジョブに対する印刷処理を実行する（ステップ２１８）。また、ジョブ管理部１８は、印刷が完了した停止ジョブをジョブ格納部１９から削除し（ステップ２１９）、本処理フローは終了する。
【００７０】
また、ステップ２０３において、停止対象の印刷ジョブが複数ある場合、複数の印刷ジョブのうち、実際に処理を停止する印刷ジョブがユーザにより選択されることとしても良い。この場合、例えば、停止対象の印刷ジョブの情報が操作パネル１０５や携帯端末２０の画像表示手段２０５に表示され、ユーザが処理を停止したい印刷ジョブを選択すれば良い。
【００７１】
＜携帯端末２０の処理手順＞
次に、携帯端末２０の処理手順について説明する。図９は、実施の形態１に係る携帯端末２０による処理手順の一例を示したフローチャートである。図９に示す例では、図７及び図８と同様に、携帯端末２０は、停止ジョブの処理を再開することを指示する情報として、停止ジョブのジョブＩＤを画像処理装置１０へ送信するものとして説明する。
【００７２】
まず、ＮＦＣ制御部２５は、携帯端末２０が画像処理装置１０にかざされたか否かを判定する（ステップ３０１）。携帯端末２０が画像処理装置１０にかざされていなければ（ステップ３０１でＮｏ）、本処理フローは終了する。一方、携帯端末２０が画像処理装置１０にかざされた場合（ステップ３０１でＹｅｓ）、ジョブ制御部２６は、ジョブ記憶部２７に停止ジョブが記憶されているか否かを判定する（ステップ３０２）。停止ジョブが記憶されていない場合（ステップ３０２でＮｏ）、ジョブ制御部２６は、ＮＦＣ制御部２５を介して、携帯端末２０に関連付けられたユーザＩＤを画像処理装置１０に送信して（ステップ３０３）、印刷ジョブの処理を停止することを指示する。
【００７３】
次に、ジョブ制御部２６は、処理を停止する対象の印刷ジョブがあることを画像処理装置１０から通知されたか否かを判定する（ステップ３０４）。停止対象の印刷ジョブがないことを通知された場合（ステップ３０４でＮｏ）、本処理フローは終了する。一方、停止対象の印刷ジョブがあることを通知された場合（ステップ３０４でＹｅｓ）、無線制御部２４は、印刷ジョブを受信する準備を行う（ステップ３０５）。即ち、携帯端末２０と画像処理装置１０との間でＷｉ−Ｆｉ  Ｄｉｒｅｃｔ接続を確立する処理が行われる。Ｗｉ−Ｆｉ  Ｄｉｒｅｃｔ接続が確立すると、ジョブ制御部２６は、無線制御部２４を介して画像処理装置１０から停止ジョブを受信し（ステップ３０６）、受信した停止ジョブをジョブ記憶部２７に記憶させる。また、ジョブ制御部２６は、受信した停止ジョブのジョブＩＤをジョブ記憶部２７に記憶させて（ステップ３０７）、本処理フローは終了する。
【００７４】
また、ステップ３０２において、停止ジョブが記憶されている場合（ステップ３０２でＹｅｓ）、ジョブ制御部２６は、ＮＦＣ制御部２５を介して、携帯端末２０に関連付けられたユーザＩＤ、および停止ジョブのジョブＩＤを画像処理装置１０に送信し（ステップ３０８）、停止ジョブの処理を再開することを指示する。そして、無線制御部２４は、停止ジョブを送信する準備を行う（ステップ３０９）。即ち、携帯端末２０と画像処理装置１０との間でＷｉ−Ｆｉ  Ｄｉｒｅｃｔ接続を確立する処理が行われる。Ｗｉ−Ｆｉ  Ｄｉｒｅｃｔ接続が確立すると、ジョブ制御部２６は、無線制御部２４を介して画像処理装置１０へ停止ジョブを送信する（ステップ３１０）。そして、ジョブ制御部２６は、送信した停止ジョブをジョブ記憶部２７から削除し（ステップ３１１）、本処理フローは終了する。
【００７５】
また、ステップ３０２において肯定の判断（Ｙｅｓ）がされた場合、ジョブ制御部２６は、ユーザＩＤおよびジョブＩＤを送信することとしたが、画像処理装置１０から追加で印刷ジョブの吸い上げを行うか否かを判定することとしても良い。この場合、例えば、操作パネル１０５や携帯端末２０の画像表示手段２０５に、追加で印刷ジョブの吸い上げを行うか否かをユーザに選択させるメッセージが表示される。そして、ユーザが印刷ジョブの吸い上げを行うことを選択した場合、ステップ３０３に移行する。また、ユーザが印刷ジョブの吸い上げを行わないことを選択した場合、ステップ３０８に移行する。
【００７６】
さらに、ステップ３０２において肯定の判断（Ｙｅｓ）がされた場合、記憶されている停止ジョブが複数あれば、複数の停止ジョブから画像処理装置１０に送信する印刷ジョブがユーザにより選択されることとしても良い。この場合、例えば、停止ジョブの情報が操作パネル１０５や携帯端末２０の画像表示手段２０５に表示され、ユーザが処理を再開したい停止ジョブを選択することにより、選択された停止ジョブが画像処理装置１０に送信される。
【００７７】
以上説明したように、本実施の形態に係る画像処理システム１では、ユーザが画像処理装置１０に携帯端末２０をかざすと、印刷ジョブの処理が一旦停止され、さらにユーザが他の画像処理装置１０に携帯端末２０をかざすと、印刷ジョブの処理が再開される。
そのため、ユーザの使用している画像処理装置１０がエラーの発生や用紙切れ、故障等により印刷不能になったために他の画像処理装置１０を使用する際、例えば、操作端末３０で再度、ユーザによる印刷を実行する操作が必要な構成と比較して、ユーザの負担が軽減される。また、例えば、ユーザが出力先の場所を変更したい場合や他のユーザが使用しているため印刷待ちになっている場合に、他の画像処理装置１０を使用する際も同様であり、ユーザの負担が軽減される。
【００７８】
また、ユーザは、印刷ジョブを受信した携帯端末２０を持って移動することにより、例えば、会社で印刷ジョブの処理を停止した後、出張先で印刷ジョブの処理を再開する等、異なるネットワークに設けられた画像処理装置１０にて印刷を再開する処理が行われる。
そして、処理が停止された印刷ジョブは、携帯端末２０に送信された後に画像処理装置１０から削除されるため、画像処理装置１０内に印刷ジョブのデータが残らず、情報の漏洩が防止される。
【００７９】
［実施の形態２］
次に、実施の形態２について説明する。実施の形態１では、携帯端末２０が停止ジョブを記憶し、画像処理装置１０が携帯端末２０から停止ジョブを受信して印刷を再開した。一方、実施の形態２では、印刷ジョブを記憶する記憶容量を有さない携帯端末２０またはＮＦＣカードを用いて、印刷の停止及び再開が行われる。即ち、携帯端末２０やＮＦＣカードは、印刷の停止及び再開の処理を行うことを指示するために用いられ、印刷ジョブの送受信は、直接、画像処理装置１０間で行われる。ここで、ＮＦＣカードとは、ＮＦＣの機能を有したカードであり、携帯端末２０と同様に、各ユーザそれぞれに配布される。そして、各ＮＦＣカードには、予めユーザＩＤが一つずつ関連付けられている。本実施の形態では、端末装置の一例として、ＮＦＣカードまたは携帯端末２０が用いられる。ただし、以下では、ＮＦＣカードを用いて処理を行うものとして説明するが、ＮＦＣカードの代わりに印刷ジョブを記憶する記憶容量を有さない携帯端末２０を用いる場合も、同様の処理が行われる。
【００８０】
また、本実施の形態では、画像処理装置１０のジョブ格納部１９は、各印刷ジョブについて、ユーザＩＤやジョブＩＤ、処理の状態が登録されたテーブル（以下、ジョブ管理テーブルと称する）を格納する。さらに、ＮＦＣカードは、画像処理装置１０から停止ジョブの情報を受信し、受信した情報が登録されたリスト（以下、ジョブリストと称する）を保持する。ジョブ管理テーブル、ジョブリストの詳細については後述する。
なお、ＮＦＣカードのハードウェア構成は、無線Ｉ／Ｆ２０３、画像表示手段２０５が設けられていない点を除いて、図３に示す携帯端末２０と共通である。また、本実施の形態において、実施の形態１と同様のものについては同じ符号を付してその詳細な説明を省略する。
【００８１】
＜画像処理システム１の動作＞
まず、画像処理システム１の動作について説明する。図１０は、実施の形態２に係る画像処理システム１の動作の一例を説明するためのフローチャートである。図１０に示す例では、ユーザＡが、画像処理装置１０ＡにＮＦＣカードをかざすことにより、画像処理装置１０Ａにおける印刷ジョブの処理を停止した後、画像処理装置１０ＢにＮＦＣカードをかざし、停止した印刷ジョブの処理を再開するものとして説明する。
【００８２】
まず、ユーザＡが操作端末３０を用いて印刷を実行する操作を行うと、操作端末３０は、印刷を実行する操作を受け付ける（ステップ４０１）。そして、操作端末３０は、ユーザＡによる操作をもとに印刷ジョブを生成し、生成した印刷ジョブを画像処理装置１０Ａに送信する（ステップ４０２）。印刷ジョブの送信が完了すると（ステップ４０３）、操作端末３０による処理は終了する。
【００８３】
画像処理装置１０Ａは、操作端末３０から印刷ジョブを受信すると（ステップ４１１）、印刷ジョブに対する印刷処理を開始する（ステップ４１２）。ここで、ユーザＡがＮＦＣカードを画像処理装置１０Ａにかざすと、ＮＦＣカードは、ジョブリストに印刷ジョブの情報が登録されていなければ、ＮＦＣカードに関連付けられたユーザＡのユーザＩＤを画像処理装置１０Ａに送信し、印刷ジョブの処理の停止を指示する（ステップ４２１）。次に、画像処理装置１０Ａは、印刷処理中または印刷処理待ちの印刷ジョブのうち、送信されたユーザＩＤと同じユーザＩＤが付与された印刷ジョブがジョブ格納部１９に格納されているか否かを判定する。
【００８４】
図１０に示す例では、ステップ４１１で受信した印刷ジョブに付与されたユーザＩＤと、ＮＦＣカードに関連付けられたユーザＩＤとは、ともにユーザＡのユーザＩＤで一致する。そのため、画像処理装置１０Ａは、ステップ４１１で受信した印刷ジョブの処理を停止する（ステップ４１３）。その際、画像処理装置１０Ａは、自装置のアドレス（例えばＩＰアドレス、ＭＡＣアドレス）、及び処理を停止した印刷ジョブ（即ち、停止ジョブ）のジョブＩＤをＮＦＣカードに送信する。そして、ＮＦＣカードは、受信したアドレス及びジョブＩＤをジョブリストに登録する。本実施の形態では、識別情報の一例として、ジョブＩＤが用いられる。また、特定情報の一例として、アドレスが用いられる。さらに、印刷指示の一例として印刷ジョブが用いられ、印刷指示の情報の一例として、アドレス及びジョブＩＤが用いられる。
【００８５】
次に、ユーザＡがＮＦＣカードを画像処理装置１０Ｂにかざすと、ＮＦＣカードは、ＮＦＣカードに関連づけられたユーザＩＤ、ジョブリストに登録されているアドレス及びジョブＩＤを画像処理装置１０Ｂに送信して、印刷の再開を指示する（ステップ４２２）。そして、画像処理装置１０Ｂは、ＮＦＣカードから、ユーザＩＤ、アドレス及びジョブＩＤを受信し、印刷再開の指示を受け付ける（ステップ４３１）。次に、画像処理装置１０Ｂは、受信したアドレスが付与されている画像処理装置１０、即ち、画像処理装置１０Ａに対して、ＮＦＣカードから受信したユーザＩＤ及びジョブＩＤを送信して、印刷ジョブを要求する（ステップ４３２）。
【００８６】
画像処理装置１０Ａは、画像処理装置１０ＢからユーザＩＤ及びジョブＩＤを受信して印刷ジョブの要求を受け付けると（ステップ４１４）、要求を受け付けたことを画像処理装置１０Ｂに通知する。ここで、本実施の形態では、画像処理装置１０Ａ及び画像処理装置１０Ｂはネットワーク５０を介して通信を行うが、このような構成に限られず、例えば、Ｗｉ−Ｆｉ  Ｄｉｒｅｃｔ接続による通信を行っても良い。Ｗｉ−Ｆｉ  Ｄｉｒｅｃｔ接続を行う場合には、Ｗｉ−Ｆｉ  Ｄｉｒｅｃｔ接続を確立する処理が行われた後に、データの授受が行われる。
【００８７】
次に、画像処理装置１０Ａは、ジョブ管理テーブルを参照して、画像処理装置１０Ｂから受信したユーザＩＤ及びジョブＩＤに対応する停止ジョブを、画像処理装置１０Ｂに送信する（ステップ４１５）。停止ジョブの送信が完了すると（ステップ４１６）、画像処理装置１０Ａによる処理は終了する。また、画像処理装置１０Ｂは、画像処理装置１０Ａから停止ジョブを受信すると（ステップ４３３）、停止ジョブに対する印刷処理を開始する（ステップ４３４）。停止ジョブに対する印刷処理が完了すると（ステップ４３５）、画像処理装置１０Ｂによる処理は終了する。
【００８８】
また、停止ジョブを送信する画像処理装置１０Ａと停止ジョブを受信する画像処理装置１０Ｂとが同じ装置の場合、印刷ジョブの送信や受信は行われずに処理の停止及び再開が行われることとなる。
【００８９】
＜ジョブ管理テーブルの内容＞
次に、ジョブ格納部１９に格納されるジョブ管理テーブルについて説明する。図１１は、ジョブ管理テーブルの一例を示す図である。「ユーザＩＤ」は、印刷を実行したユーザのユーザＩＤであり、印刷ジョブに付与されたものである。「ジョブＩＤ」は、画像処理装置１０にて印刷ジョブに付与されたジョブＩＤを示す。「状態」は、印刷ジョブに対する処理の状態を示す。
【００９０】
図１１に示す例では、ユーザＩＤとして、ユーザ１またはユーザ２が印刷ジョブに付与されている。また、ジョブＩＤとして、印刷ジョブごとに、ジョブ１〜ジョブ５という異なる値が付与されている。ここで、図１１に示す例では簡単のためジョブＩＤをジョブ１〜ジョブ５としているが、他の画像処理装置１０にて付与されるジョブＩＤと区別するために、ジョブＩＤには、例えば、任意の文字列やタイムスタンプ等が含まれても良い。
【００９１】
また、各印刷ジョブの状態として、「停止」、「選択不可」、「印刷中」、「印刷待ち」という状態が登録されている。「停止」は、処理が停止され、他の画像処理装置１０へ送信される対象の印刷ジョブであることを示す。「選択不可」は、処理は停止されたが、他の画像処理装置１０へ送信される対象とはならない印刷ジョブであることを示す。本実施の形態で用いられるＮＦＣカードは、記憶容量が限られているため、各画像処理装置１０において、同一のユーザＩＤが付与された印刷ジョブのうち「停止」となる印刷ジョブの上限数が予め定められている。そのため、予め定められた上限数を超えた分の印刷ジョブについては、「選択不可」として登録される。図１１に示す例では、上限数が２と定められており、ジョブ１及びジョブ２が「停止」の状態であるため、ジョブ３は「選択不可」の状態となる。また、「印刷中」は印刷処理中であることを示し、「印刷待ち」は印刷処理待ちであることを示す。
【００９２】
＜ジョブリストの内容＞
次に、ＮＦＣカードが保持するジョブリストについて説明する。図１２は、ジョブリストの一例を示す図である。図１２に示す例では、ＮＦＣカードに対して、ユーザＩＤとして「ユーザ１」が関連付けられている。「番号」は、停止ジョブごとに１から順番に振られる番号である。「ジョブＩＤ」は、停止ジョブのジョブＩＤであり、画像処理装置１０から送信される。「アドレス」は、停止ジョブを保持する画像処理装置１０のアドレスであり、画像処理装置１０から送信される。そして、図１２に示す例では、例えば番号＝１の停止ジョブのジョブＩＤは「ジョブ１」であり、この停止ジョブを保持する画像処理装置１０のアドレスは「アドレス１」である。
【００９３】
付言すると、ユーザ（ユーザＩＤ＝ユーザ１）は、アドレス１の画像処理装置１０にＮＦＣカードをかざしたため、画像処理装置１０にて、ユーザ１（ユーザＩＤ）が付与された印刷ジョブ（ジョブＩＤ＝ジョブ１、２）の処理が停止されている。そして、画像処理装置１０は、自装置のアドレス（アドレス１）、及び処理を停止した印刷ジョブのジョブＩＤ（ジョブ１、２）をＮＦＣカードに送信したため、ジョブリストにそれらの情報が記録されている。
【００９４】
＜ＮＦＣカードをかざした際の画像処理装置１０による処理手順＞
次に、ユーザが画像処理装置１０にＮＦＣカードをかざした際に画像処理装置１０にて行われる処理について説明する。図１３及び図１４は、実施の形態２においてＮＦＣカードをかざした際に画像処理装置１０にて行われる処理手順の一例を示したフローチャートである。
【００９５】
まず、ＮＦＣ制御部１７は、ＮＦＣカードがＮＦＣＩ／Ｆ１１１にかざされたか否かを判定する（ステップ５０１）。ＮＦＣカードがかざされていなければ（ステップ５０１でＮｏ）、本処理フローは終了する。一方、ＮＦＣカードがかざされた場合（ステップ５０１でＹｅｓ）、ＮＦＣ制御部１７はＮＦＣ通信を行い、ＮＦＣカードが保持している情報を受信する。ここで、ＮＦＣ制御部１７は、ＮＦＣカードに関連付けられたユーザＩＤを受信する。さらに、ジョブリストに停止ジョブが登録されていれば、ＮＦＣ制御部１７は、登録されている停止ジョブのジョブＩＤ及びアドレスの情報を受信する。
【００９６】
次に、ジョブ管理部１８は、ＮＦＣカードから受信した情報にジョブＩＤ及びアドレスがあるか否かを判定する（ステップ５０２）。受信した情報にジョブＩＤ及びアドレスがある場合（ステップ５０２でＹｅｓ）、ジョブ管理部１８は、追加で印刷ジョブの処理を停止するか否かを判定する（ステップ５０３）。ここでは、例えば、追加で印刷ジョブの処理を停止するか否かをユーザに選択させるメッセージが表示部１１に表示され、ユーザの選択操作により判定が行われる。そして、追加で処理を停止しないと判定された場合（ステップ５０３でＮｏ）、画像処理装置１０にて停止ジョブの印刷処理が行われることとなり、後述するステップ５１４に移行する。
【００９７】
一方、追加で処理を停止すると判定された場合（ステップ５０３でＹｅｓ）、またはステップ５０２でジョブＩＤ及びアドレスの少なくともいずれか一方がないと判定された場合（ステップ５０２でＮｏ）、ジョブ管理部１８は、処理を停止する対象の印刷ジョブがあるか否かを判定する（ステップ５０４）。ここでは、ジョブ管理部１８は、ジョブ管理テーブルを参照し、印刷処理中または印刷処理待ちの印刷ジョブのうち、ＮＦＣカードから受信したユーザＩＤと同じユーザＩＤが付与された印刷ジョブが存在すれば、停止対象の印刷ジョブがあると判定する。
【００９８】
停止対象の印刷ジョブがない場合（ステップ５０４でＮｏ）、本処理フローは終了する。一方、停止対象の印刷ジョブがある場合（ステップ５０４でＹｅｓ）、ジョブ管理部１８は、ＮＦＣカードから受信したユーザＩＤにおいて、「停止」の印刷ジョブが上限数に達しているか否かを判定する（ステップ５０５）。上限数に達している場合（ステップ５０５でＹｅｓ）、ジョブ管理部１８は、停止対象の印刷ジョブを「選択不可」にして、ジョブ管理テーブルを更新し（ステップ５０６）、本処理フローは終了する。
【００９９】
一方、まだ上限数に達していない場合（ステップ５０５でＮｏ）、ジョブ管理部１８は、停止対象の印刷ジョブが複数あるか否かを判定する（ステップ５０７）。停止対象の印刷ジョブが複数ある場合（ステップ５０７でＹｅｓ）、停止ジョブ選択処理が行われ（ステップ５０８）、印刷ジョブが１つ選択される。そして、停止ジョブ選択処理の後、または停止対象の印刷ジョブが１つの場合（ステップ５０７でＮｏ）、ジョブ管理部１８は、停止対象の印刷ジョブのジョブＩＤ、及び自装置のアドレスをＮＦＣカードに送信する（ステップ５０９）。ただし、停止ジョブ選択処理により印刷ジョブが選択されなかった場合には、ここで本処理フローは終了する。停止ジョブ選択処理の詳細については後述する。
【０１００】
次に、ジョブ管理部１８は、停止対象の印刷ジョブが印刷処理中であるか否かを判定する（ステップ５１０）。印刷処理中の場合（ステップ５１０でＹｅｓ）、プリンタ制御部１４は印刷処理を停止する（ステップ５１１）。印刷処理中ではない場合（ステップ５１０でＮｏ）、またはステップ５１１の後、ジョブ管理部１８は、処理停止フラグを停止対象の印刷ジョブに付与し（ステップ５１２）、停止ジョブとして扱う。そして、ジョブ管理部１８は、停止ジョブの状態を「停止」にしてジョブ管理テーブルを更新し（ステップ５１３）、本処理フローは終了する。
【０１０１】
また、ステップ５０３において、追加で処理を停止しないと判定された場合（ステップ５０３でＮｏ）、ジョブ管理部１８は、ＮＦＣカードから受信したジョブＩＤが複数あるか否かを判定する（ステップ５１４）。受信したジョブＩＤが一つの場合（ステップ５１４でＮｏ）、ジョブ管理部１８は、そのジョブＩＤが付与された停止ジョブを、受信対象とする。そして、ジョブ管理部１８は、ＮＦＣカードのジョブリストを読み出して、受信対象としたジョブＩＤをジョブリストから削除してジョブリストを更新する（ステップ５１５）。一方、受信したジョブＩＤが複数ある場合（ステップ５１４でＹｅｓ）、受信ジョブ選択処理が行われ（ステップ５１６）、１つのジョブＩＤが受信対象として選択される。受信ジョブ選択処理の詳細については後述する。
【０１０２】
次に、ジョブ管理部１８は、ステップ５０１で受信したアドレス宛に、ＮＦＣカードから受信したユーザＩＤ、および受信対象としたジョブＩＤを送信して、停止ジョブを要求する（ステップ５１７）。次に、ジョブ管理部１８は、例えば一定時間内に、要求を受け付けた通知があるか否かを判定する（ステップ５１８）。要求を受け付けた通知があれば（ステップ５１８でＹｅｓ）、ジョブ管理部１８は、送信されてきた停止ジョブ（受信対象としたジョブＩＤが付与された停止ジョブ）を受信する（ステップ５１９）。次に、プリンタ制御部１４は、受信した停止ジョブの印刷処理を実行する（ステップ５２０）。印刷処理が完了すると、ジョブ管理部１８は停止ジョブを削除する（ステップ５２１）。
【０１０３】
一方、ステップ５１８で要求を受け付けた通知がなければ（ステップ５１８でＮｏ）、印刷不可であり印刷をキャンセルすることが表示部１１に表示される（ステップ５２２）。次に、ＮＦＣ制御部１７は、一定時間内にＮＦＣカードがＮＦＣＩ／Ｆ１１１にかざされたか否かを判定する（ステップ５２３）。一定時間内にＮＦＣカードがかざされた場合（ステップ５２３でＹｅｓ）、ジョブ管理部１８は、ステップ５１５またはステップ５１６で削除したジョブＩＤをジョブリストに戻して、ジョブリストを更新する（ステップ５２４）。一方、ＮＦＣカードがかざされなければ（ステップ５２３でＮｏ）、ジョブ管理部１８は、ジョブＩＤがジョブリストから削除されたままにして、本処理フローは終了する。
【０１０４】
また、画像処理装置１０は、印刷ジョブの処理を停止する場合、ステップ５０１〜ステップ５１３の処理を繰り返し行うことで、複数の印刷ジョブの処理を停止することとなる。また、画像処理装置１０は、印刷ジョブの処理を再開する場合、ステップ５０１〜ステップ５０３、ステップ５１４〜ステップ５２４の処理を繰り返し行うことで、複数の印刷ジョブの処理を再開することとなる。ここで、ステップ５１６の受信ジョブ選択処理が行われた後、ステップ５１７以降の処理が行われるのと並行にステップ５０１以降の処理が行われることとすれば、停止ジョブを受信する処理と並行に、受信対象の停止ジョブを選択する処理が行われることとなる。
【０１０５】
＜停止ジョブ選択処理の手順＞
次に、図１３に示すステップ５０８の停止ジョブ選択処理について説明する。図１５は、停止ジョブ選択処理の手順の一例を示したフローチャートである。ここで、図１１に示すように、ジョブ管理テーブルにおいて、各印刷ジョブは順番に並べられているものとする。
【０１０６】
まず、パネル制御部１３は、ｎ＝１とし（ステップ６０１）、複数の停止対象の印刷ジョブのうち、ｎ番目の印刷ジョブの情報を表示部１１に表示する（ステップ６０２）。次に、ＮＦＣ制御部１７は、一定時間内にＮＦＣカードがかざされたか否かを判定する（ステップ６０３）。一定時間内にＮＦＣカードがかざされなかった場合（ステップ６０３でＮｏ）、ジョブ管理部１８は、ｎ番目の印刷ジョブを停止対象の印刷ジョブとして選択して（ステップ６０４）、本処理フローは終了する。
【０１０７】
一方、一定時間内にＮＦＣカードがかざされた場合（ステップ６０３でＹｅｓ）、ジョブ管理部１８は、ｎの数を１増やし（ステップ６０５）、ｎ番目の停止対象の印刷ジョブが存在するか否かを判定する（ステップ６０６）。ｎ番目の印刷ジョブが存在する場合（ステップ６０６でＹｅｓ）、ステップ６０２に移行する。一方、停止対象の印刷ジョブの数がｎより少なく、ｎ番目の印刷ジョブが存在しない場合（ステップ６０６でＮｏ）、ｎ番目の印刷ジョブが存在しないことが表示部１１に表示される。そして、ＮＦＣ制御部１７は、一定時間内にＮＦＣカードがかざされたか否かを判定する（ステップ６０７）。
【０１０８】
一定時間内にＮＦＣカードがかざされなかった場合（ステップ６０７でＮｏ）、ジョブ管理部１８は、ｎの数を１減らし（ステップ６０８）、ステップ６０４に移行する。一方、一定時間内にＮＦＣカードがかざされた場合（ステップ６０７でＹｅｓ）、パネル制御部１３は印刷ジョブの停止をキャンセルすることを表示部１１に表示し（ステップ６０９）、停止対象の印刷ジョブは選択されずに本処理フローは終了する。
【０１０９】
このように、停止ジョブ選択処理では、ユーザがＮＦＣカードをかざす回数やかざすタイミングに応じて、複数の印刷ジョブから停止対象とする印刷ジョブが１つ選択される。また、例えば、ＮＦＣカードをかざした時間に応じて処理が行われることとしても良い。
【０１１０】
＜受信ジョブ選択処理の手順＞
次に、図１４に示すステップ５１６の受信ジョブ選択処理について説明する。図１６は、受信ジョブ選択処理の手順の一例を示したフローチャートである。ここで、図１２に示すように、ジョブリストにおいて、各停止ジョブの情報は「番号」の順番で並べられているものとする。
【０１１１】
まず、パネル制御部１３は、ｎ＝１とし（ステップ７０１）、ＮＦＣ制御部１７を介してＮＦＣカードのジョブリストを読み込んで、ジョブリストでｎ番目の停止ジョブの情報を表示部１１に表示する（ステップ７０２）。次に、ＮＦＣ制御部１７は、一定時間内にＮＦＣカードがかざされたか否かを判定する（ステップ７０３）。一定時間内にＮＦＣカードがかざされなかった場合（ステップ７０３でＮｏ）、ジョブ管理部１８は、ｎ番目の停止ジョブを受信対象の停止ジョブとして選択する（ステップ７０４）。そして、ジョブ管理部１８は、受信対象として選択した停止ジョブの情報をＮＦＣカードのジョブリストから削除して（ステップ７０５）、本処理フローは終了する。
【０１１２】
一方、ステップ７０３でＮＦＣカードがかざされた場合（ステップ７０３でＹｅｓ）、ジョブ管理部１８は、ｎの数を１増やし（ステップ７０６）、ｎ番目の停止ジョブが存在するか否かを判定する（ステップ７０７）。ｎ番目の停止ジョブが存在する場合（ステップ７０７でＹｅｓ）、ステップ７０２に移行する。一方、停止ジョブの数がｎより少なく、ｎ番目の停止ジョブが存在しない場合（ステップ７０７でＮｏ）、ｎ番目の停止ジョブが存在しないことが表示部１１に表示される。次に、ＮＦＣ制御部１７は、一定時間内にＮＦＣカードがかざされたか否かを判定する（ステップ７０８）。
【０１１３】
一定時間内にＮＦＣカードがかざされなかった場合（ステップ７０８でＮｏ）、ジョブ管理部１８は、ｎの数を１減らし（ステップ７０９）、ステップ７０４に移行する。一方、一定時間内にＮＦＣカードがかざされた場合（ステップ７０８でＹｅｓ）、パネル制御部１３は停止ジョブの受信をキャンセルすることを表示部１１に表示し（ステップ７１０）、停止ジョブは選択されずに本処理フローは終了する。
【０１１４】
このように、受信ジョブ選択処理では、ユーザがＮＦＣカードをかざす回数やかざすタイミングに応じて、複数の停止ジョブから受信対象とする停止ジョブが１つ選択される。また、例えば、ＮＦＣカードをかざした時間に応じて処理が行われることとしても良い。
【０１１５】
＜画像処理装置１０による印刷ジョブの送信手順＞
次に、画像処理装置１０が他の画像処理装置１０に印刷ジョブを送信する処理について説明する。図１７は、実施の形態２に係る画像処理装置１０による印刷ジョブの送信手順の一例を示したフローチャートである。
【０１１６】
まず、ジョブ管理部１８は、他の画像処理装置１０から印刷ジョブの要求を受け付けたか否かを判定する（ステップ８０１）。ここでは、図１４のステップ５１７で行われた印刷ジョブの要求について、受け付けたか否かが判定される。要求を受け付けていない場合（ステップ８０１でＮｏ）、本処理フローは終了する。一方、要求を受け付けた場合（ステップ８０１でＹｅｓ）、ジョブ管理部１８は、他の画像処理装置１０からユーザＩＤ及びジョブＩＤを受信しており（ステップ８０２）、受信したユーザＩＤ及びジョブＩＤに対応する停止ジョブがジョブ格納部１９に格納されているか否かを判定する（ステップ８０３）。ここでは、ジョブ管理部１８は、ジョブ管理テーブルを参照し、受信したユーザＩＤ及びジョブＩＤに対応する印刷ジョブで、状態が「停止」の印刷ジョブが存在するか否かを判定する。
【０１１７】
対応する停止ジョブが格納されていなければ（ステップ８０３でＮｏ）、本処理フローは終了する。一方、対応する停止ジョブが格納されていれば（ステップ８０３でＹｅｓ）、ジョブ管理部１８は、印刷ジョブの要求を受け付けた通知をステップ８０１の要求元の画像処理装置１０に送信する。そして、ジョブ管理部１８は、対応する停止ジョブを要求元の画像処理装置１０に送信する（ステップ８０４）。また、ジョブ管理部１８は、送信した停止ジョブをジョブ格納部１９から削除する（ステップ８０５）。さらに、ジョブ管理部１８は、送信した停止ジョブの情報をジョブ管理テーブルから削除するとともに、上限数を超えないように同一のユーザＩＤで「選択不可」の印刷ジョブを「停止」にして、ジョブ管理テーブルを更新する（ステップ８０６）。そして、本処理フローは終了する。
【０１１８】
以上説明したように、実施の形態２では、印刷ジョブを記憶する記憶容量を有していないＮＦＣカードや携帯端末２０を用いることで、印刷の停止及び再開が行われる。また、ユーザがＮＦＣカード等を画像処理装置１０にかざすことにより、処理を停止する印刷ジョブを選択する処理や、処理を再開する停止ジョブを選択する処理が行われる。そのため、実施の形態１と同様に、他の画像処理装置１０を使用する際のユーザの負担が軽減される。
【０１１９】
また、実施の形態２において、「選択不可」の印刷ジョブを、処理は停止されたが他の画像処理装置１０へ送信される対象とはならない印刷ジョブとしたが、例えば、「選択不可」の印刷ジョブに対する処理をユーザが決定することとしても良い。例えば、上限数を超えたために「選択不可」となった印刷ジョブについて、処理を停止するのか、処理を停止せずにそのまま「印刷待ち」の状態にするのかを、ユーザが選択することとしても良い。
さらに、「停止」となる印刷ジョブの上限数が予め定められていることとしたが、このような構成に限られるものではなく、例えば、ＮＦＣカードの容量が不足したためにジョブリストに登録されなかった停止ジョブを「選択不可」の状態にすることとしても良い。
【０１２０】
また、実施の形態２ではＮＦＣカードを用いて説明したため、例えば、図１３のステップ５０３におけるメッセージ等、ユーザに示す情報を画像処理装置１０の表示部１１に表示することとしたが、携帯端末２０を用いた場合には携帯端末２０の表示部２１に表示してユーザの操作を受け付けることとしても良い。また、実施の形態２において、実施の形態１と同様に、ユーザが、画像処理装置１０の操作パネル１０５や携帯端末２０の画像表示手段２０５を操作して、処理を停止する印刷ジョブを選択したり、処理を再開する停止ジョブを選択したりすることとしても良い。
さらに、実施の形態１において、実施の形態２と同様に、ユーザが携帯端末２０を画像処理装置１０にかざす回数やかざすタイミング、かざした時間に応じて、処理を停止する印刷ジョブを選択したり、携帯端末２０から画像処理装置１０に送信する印刷ジョブを選択したりすることとしても良い。
【０１２１】
また、実施の形態１及び実施の形態２では、画像処理装置１０は、携帯端末２０に関連付けられたユーザＩＤと、印刷ジョブに付与されたユーザＩＤとを比較して、停止対象の印刷ジョブがあるか否かを判定することとしたが、このような構成に限られるものではない。例えば、画像処理装置１０は、携帯端末２０がかざされると、ユーザＩＤを考慮せずに、その時点で印刷処理中の印刷ジョブを停止対象にすることとしても良い。この場合、画像処理装置１０は、例えば、図７のステップ２０３や図１３のステップ５０４で印刷処理中であるか否かを判定し、印刷処理中であれば停止対象の印刷ジョブがあると判定して、それ以降の処理を実行すれば良い。
【０１２２】
そして、実施の形態１及び実施の形態２では、ユーザは、操作端末３０を操作して印刷を実行することとしたが、携帯端末２０を操作して印刷を実行することとしても良い。この場合、携帯端末２０は、ユーザの操作に応じて印刷ジョブを生成し、生成した印刷ジョブを画像処理装置１０に送信する。上述したように、画像処理装置１０は、操作端末３０から印刷ジョブを受信する場合には、操作端末３０の情報をもとに印刷を実行したユーザを識別して、印刷ジョブにユーザＩＤを付与する。一方、画像処理装置１０は、携帯端末２０から印刷ジョブを受信する場合には、携帯端末２０にユーザＩＤが関連付けられているため、そのユーザＩＤをそのまま印刷ジョブに付与すれば良い。
また、本実施の形態１及び実施の形態２では、ネットワーク５０を例えば有線ＬＡＮとして説明したが、ネットワーク５０を例えば無線ＬＡＮとし、画像処理装置１０間のデータの授受や画像処理装置と操作端末３０との間のデータの授受が、無線通信により行われることとしても良い。
【０１２３】
さらに、実施の形態１及び実施の形態２では、画像処理装置１０と携帯端末２０とはＷｉ−Ｆｉ  Ｄｉｒｅｃｔ接続により無線通信を行うこととしたが、このような構成に限られるものではない。例えば、別途設けられたアクセスポイント（図示せず）経由で無線通信が行われることとしても良い。このような場合、画像処理装置１０とアクセスポイント、および携帯端末２０とアクセスポイントは無線通信が行える状態で、ユーザが携帯端末２０を画像処理装置１０にかざすと、両者でＩＰアドレスの交換が行われて画像処理装置１０と携帯端末２０との間でアクセスポイントを介した無線通信が行える状態になる。
また、携帯端末２０は、ＮＦＣ通信により画像処理装置１０から受信した情報にＳＳＩＤが含まれていれば、Ｗｉ−Ｆｉ  Ｄｉｒｅｃｔ接続を行い、ＳＳＩＤが含まれていなければ、アクセスポイント経由で通信を行うというように、画像処理装置１０から受信した情報に合わせて接続手順を判別することとしても良い。
【０１２４】
なお、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【０１２５】
１…画像処理システム、１０…画像処理装置、１１…表示部、１２…操作受付部、１３…パネル制御部、１４…プリンタ制御部、１５…有線制御部、１６…無線制御部、１７…ＮＦＣ制御部、１８…ジョブ管理部、１９…ジョブ格納部、２０…携帯端末、２１…表示部、２２…操作受付部、２３…表示制御部、２４…無線制御部、２５…ＮＦＣ制御部、２６…ジョブ制御部、２７…ジョブ記憶部、３０…操作端末、５０…ネットワーク
【図１】
0006327027.tif 000002
【図２】
0006327027.tif 000003
【図３】
0006327027.tif 000004
【図４】
0006327027.tif 000005
【図５】
0006327027.tif 000006
【図６】
0006327027.tif 000007
【図７】
0006327027.tif 000008
【図８】
0006327027.tif 000009
【図９】
0006327027.tif 000010
【図１０】
0006327027.tif 000011
【図１１】
0006327027.tif 000012
【図１２】
0006327027.tif 000013
【図１３】
0006327027.tif 000014
【図１４】
0006327027.tif 000015
【図１５】
0006327027.tif 000016
【図１６】
0006327027.tif 000017
【図１７】
0006327027.tif 000018